(57)【特許請求の範囲】
【請求項１】
長さ方向に垂直な方向に沿って往復移動するシャフト（５）を含む消音キー部品であって、
一端が回路基板（２）上に固定され、他端が前記回路基板（２）から離れる方向に向かって延伸して自由端（６２）を形成する第１弾力片（６）をさらに含み、
前記シャフト（５）の長さ方向に垂直な平面上で前記自由端（６２）の投影と前記シャフト（５）の投影とが互いに交わり、
前記第１弾力片（６）との間に隙間を有する第２弾力片（７）をさらに含み、
前記第２弾力片（７）の一端が前記回路基板（２）の電気接点に固定され、
前記シャフト（５）の長さ方向に垂直な平面上で前記第２弾力片（７）の投影と前記自由端（６２）の投影とが互いに交わり、
前記第１弾力片（６）、前記第２弾力片（７）、および前記回路基板（２）の電気接点が回路を構成するように、前記シャフト（５）がその長さ方向に沿って前記自由端（６２）を前記第２弾力片（７）に押圧し、
前記第１弾力片（６）と前記第２弾力片（７）の間に固定片（８）を設け、
前記第２弾力片（７）における前記回路基板（２）から離れた端部に貼付け端（７１）を設け、
前記貼付け端（７１）と前記自由端（６２）は前記固定片（８）の同じ側に位置し、前記貼付け端（７１）は前記固定片（８）に貼り付けられ、
前記シャフト（５）の長さ方向に垂直な平面上で前記貼付け端（７１）の投影と前記自由端（６２）の投影とが互いに交わり、
前記消音キー部品は、
内壁に横板（３４）が固定された筒状に設置されるベース（３）をさらに含み、
前記横板（３４）は前記シャフト（５）の長さ方向において前記ベース（３）を上空胴と下空胴とに分け、
前記ベース（３）の前記下空胴側の端部は前記固定片（８）と取り外し可能な接続に構成し、
前記自由端（６２）および前記貼付け端（７１）はいずれも前記下空胴内に位置し、
前記横板（３４）には防水部材が設けられた防水穴（３３）が開設され、
前記シャフト（５）が前記防水穴（３３）内を前記横板（３４）の厚さ方向に沿って往復移動するように、前記シャフト（５）が前記防水穴（３３）を貫通する、
消音キー部品。
【請求項２】
前記シャフト（５）はその長さ方向に沿って頂部（５１）、中部（５２）、底部（５３）を順に含み、
前記中部（５２）の横断面積は防水穴（３３）の面積より大きく、
前記シャフト（５）の底部（５３）は前記防水穴（３３）を貫通する、
請求項１に記載の消音キー部品。
【請求項３】
前記上空胴側は前記ベース（３）の端部に取り外し可能な方法で固定フレーム（４）が実装され、
前記固定フレーム（４）上には前記頂部（５１）に適合する位置限定穴（４４）が開設され、
前記頂部（５１）が前記位置限定穴（４４）内を前記横板（３４）の厚さ方向に沿って往復移動するように、前記頂部（５１）を前記位置限定穴（４４）に挿入してあり、
前記中部（５２）の横断面積は前記位置限定穴（４４）の面積より大きい、
請求項２に記載の消音キー部品。
【請求項４】
前記固定フレーム（４）は前記位置限定穴（４４）を開設した底板（４１）を含み、
前記底板（４１）の少なくとも３つの側辺は同一側に向かって側板（４３）が延伸されており、
前記側板（４３）と前記ベース（３）の側壁に取り外し可能な接続に構成するように、各前記側板（４３）のいずれにも固定部材を設けている、
請求項３に記載の消音キー部品。
【請求項５】
前記固定フレーム（４）における前記ベース（３）から離れた表面に防水リング（４５）が実装された、
請求項４に記載の消音キー部品。
【請求項６】
前記防水部材は弾性材料からなり、環状に設置される防水パッキンまたは前記防水穴（３３）を埋める防水層である、
請求項４に記載の消音キー部品。
【請求項７】
前記中部（５２）と前記横板（３４）の間の空間に弾性材料からなる第１緩衝材が充填されている、
請求項２に記載の消音キー部品。
【請求項８】
前記中部（５２）と前記底板（４１）の間の空間に弾性材料からなる第２緩衝材が充填されている、
請求項４に記載の消音キー部品。
【請求項９】
取り外し可能な接続に構成するケース（１）と、請求項１から８のいずれか一項に記載の少なくとも一つの消音キー部品とを含み、
前記ケース（１）には前記消音キー部品に対応する複数の軸孔が開設され、前記ケース（１）と前記消音キー部品とは取り外し可能な接続を構成し、
前記シャフト（５）における伸出端が前記軸孔から伸出し、取り外し可能な方法でキーキャップ（９）が前記伸出端に接続されている、
キーボード。
【発明の詳細な説明】
【技術分野】
【０００１】
本公開はキースイッチに関するものであり、特に、消音キー部品および当該消音キー部品を有するキーボードに関するものである。
【背景技術】
【０００２】
キースイッチ（key switch）は、キーを用いて押し動かす動力伝達機構であり、動接点と静接点をオンまたはオフして回路交換を実現するスイッチである。構造が簡単かつ応用が非常に広いマスタースイッチでもある。電気自動制御回路において、キースイッチは接触器、継電器、電磁起動器などを制御するために手動で制御信号を発するのに用いられ、キーストロークと同じ直線上の推力によって内部接点変換のスイッチを駆動するという原理を持つ。
【０００３】
また、従来のキースイッチは構造全体の設計が複雑で部品点数が多く、コストが高くつくほか、部品の占有スペースが大きく、内部部品の配置に直接影響してしまう。
【発明の概要】
【０００４】
本公開の主な目的は、消音キー部品および当該消音キー部品を有するキーボードを提供することにある。
【０００５】
本公開の一態様によれば、長さ方向に垂直な方向に沿って往復移動するシャフトを含み、一端が回路基板上に固定され、他端が前記回路基板から離れる方向に向かって延伸して自由端を形成する第1弾力片をさらに含み、前記シャフトの長さ方向に垂直な平面上で前記自由端の投影と前記シャフトの投影とが互いに交わり、前記第1弾力片との間に隙間を有する第2弾力片をさらに含み、前記第2弾力片の一端が前記回路基板の電気接点に固定され、前記シャフトの長さ方向に垂直な平面上で前記第2弾力片の投影と前記自由端の投影とが互いに交わり、前記第1弾力片、前記第2弾力片、および前記回路基板の電気接点が回路を構成するように、前記シャフトがその長さ方向に沿って前記自由端を前記第2弾力片に押圧する、消音キー部品を提供する。
【０００６】
本公開の別の態様によれば、取り外し可能な接続に構成するケースと、少なくとも一つの上記消音キー部品とを含み、前記ケースには前記消音キー部品に対応する複数の軸孔が開設され、前記ケースと前記消音キー部品とは取り外し可能な接続を構成し、前記シャフトにおける前記ベースから離れた伸出端は前記軸孔から伸出し、前記伸出端に取り外し可能な方法でキーキャップが接続されている、キーボードを提供する。
【図面の簡単な説明】
【０００７】
【図１】本公開の実施例によるキーボードの構造模式図である。
【図２】図1におけるA部の拡大図である。
【図３】本公開の実施例によるベースの構造模式図である。
【図４】本公開の実施例による固定フレームの構造模式図である。
【図５】本公開の実施例によるシャフトの構造模式図である。
【図６】本公開の実施例による第1弾力片の模式図である。
【図７】本公開の実施例による第1弾力片の側面図である。
【図８】本公開の実施例による第2弾力片の模式図である。
【図９】本公開の実施例による固定片の構造模式図である。
【図１０】本公開の実施例によるキーキャップの構造模式図である。
【発明を実施するための形態】
【０００８】
図面において示されているものは、ケース1、回路基板2、銅露出部分21、ベース3、固定柱31、係止片32、防水穴33、横板34、ねじ穴35、係止ブロック36、固定フレーム4、底板41、係止溝42、側板43、位置限定穴44、防水リング45、シャフト5、頂部51、中部52、底部53、第1弾力片6、実装穴61、自由端62、第2弾力片7、貼付け端71、固定片8、固定穴81、実装溝82、キーキャップ9である。
【０００９】
以下、実施例の組み合わせおよび図面を参照しながら、本公開の目的、機能および利点についてさらに説明する。
【００１０】
［本発明を実施するための形態］
ここに記載した具体的な実施例は本公開を説明するためのものにすぎず、本公開を限定するものではないことを理解されたい。
【００１１】
図1は本公開の実施例によるキーボードの構造模式図である。図1に示したキーボードは携帯電話のキーボード、コンピュータのキーボード、リモコンのキーボードなどといった押圧力をかけて情報を入力するあらゆる電気部品に適用される。
【００１２】
本実施例のキーボードは、ケース1と、少なくとも1つの消音キー部品と、消音キー部品に対応する少なくとも1つのキーキャップ9とを含む。
【００１３】
各消音キー部品はケース1と取り外し可能な方法で接続されており、前記ケース1には前記消音キー部品に対応するいくつかの軸孔が設けられている。消音キー部品はシャフト5を含む。シャフト5におけるベース3から離れた伸出端は軸孔から伸出し、取り外し可能な方法でキーキャップ9が接続されている。
【００１４】
図1〜10に示すように、消音キー部品は、長さ方向に垂直な方向に沿って往復移動できるシャフト5を含み、一端が回路基板2上に固定され、他端が前記回路基板2から離れる方向に向かって延伸して自由端62を形成する第1弾力片6をさらに含み、前記シャフト5の長さ方向に垂直な平面上で前記自由端62の投影と前記シャフト5の投影とが互いに交わる。前記第1弾力片6が後述の方式により前記回路基板2における、例えば消音機能など所定の機能を実現するための電気的な接続を提供する電気接点と電気的に接続し回路を構成するように、前記シャフト5がその長さ方向に沿って前記自由端62を押圧する。ベース3の内壁にはベース3を2つの空間に分割する横板34が設けられている。一つの例示的実施例において、横板34には防水部材が設けられた防水穴33が開設されている。シャフト5は防水穴33を貫通し、防水穴33内で横板34の厚さ方向に沿って往復移動できる。消音キー部品は第2弾力片7をさらに含み、第1弾力片6と第2弾力片7は間隔を置いてベース3の底端に固定されている。第1弾力片6の一端と第2弾力片7の一端はいずれも回路基板2と電気的に接続されており、即ち、第1弾力片6及び第2弾力片7はいずれも回路基板2の銅露出部分21と電気的に接続されている。第1弾力片6の他端は自由端62を形成するように横板34に向かって延伸し、自由端62は防水穴33において底端に近い側にあり、シャフト5はベース3の底端の方向に防水穴33から伸出することができ、回路を構成するように自由端62を第2弾力片7に押圧する。
【００１５】
上記消音キー部品は、キーとしての機能、例えばキーの消音を実現できるとともに、防水効果を奏する。また、部品の占有スペースが小さく、空間占有率を低減することができる。このため、より多くのキーをケース1に取り付けることができるようになり、構造部品のコストも低減される。
【００１６】
一つの例示的実施例において、図12に示すように、消音キー部品は長さ方向に垂直な方向に沿って往復移動するシャフト5を含む。具体的には、ユーザがキーキャップ9を押すと、キーキャップ9は押圧力の下でシャフト5を押してその押圧方向に移動させる。即ち、シャフト5の長さ方向が押圧力方向にほぼ垂直となる。また当該消音キー部品は、一端が回路基板2上に固定され、他端が回路基板2から離れる方向に向かって延伸して自由端62を形成する第1弾力片6をさらに含む。即ち、第1弾力片6は信号を転送できるものであり、回路基板2と電気的に接続される。さらに一つの例示的実施例において、回路基板2は端末の消音キーを制御するためのスイッチ機能のチップと回路を有するPCB基板である。PCB基板には2つの銅露出部分21が設けられており、第1弾力片6はいずれかの銅露出部分21に固定されている。また他の一つの例示的実施例において、第1弾力片6はねじ部（例えば、ねじ）を介して当該露出銅部分21に固定されてもよい。本実施例では、第1弾力片6と当該銅露出部分21が常に電気的に接続されることのみを確認するに留める。
【００１７】
そして、前記シャフト5の長さ方向に垂直な平面において、前記自由端62の投影と前記シャフト5の投影とが交わる。ここで、前記電気接点とはPCB基板上のもう一つの銅露出部分21である。
【００１８】
シャフト5はキーキャップ9からの押圧力を受けると、その長さ方向に垂直な方向に移動して第1弾力片6の自由端62を押圧し、これにより第1弾力片6の自由端62がPCB板に開設された別の露銅領域21と電気的に接続される。このように、第1弾力片6と前記電気接点と前記回路基板2とが回路を構成し、キーとしての機能、例えば消音機能が実現される。当該消音キー部品は占有スペースが小さく、空間占有率を低減することができるほか、より多くのキーをケース1に取り付けることもでき、構造部品のコストを低減できる。キーキャップ9を逆方向、例えば図2における右から左へのほぼ水平の方向へ押すと、第一弾力片6は元の位置に戻って回路を切断する。
【００１９】
一つの例示的実施例において、当該消音キー部品は第1弾力片6との間に隙間がある第2弾力片7をさらに含み、シャフト5の長さ方向にシャフト5、第1弾力片6の自由端62、第2弾力片7、電気接点が順に並べられている。前記第2弾力片7の一端は前記電気接点に固定されているため、前記第2弾力片7は当該電気接点と電気的に接続される。即ち、第2弾力片7はPCB基板に設けられたもう1つの銅露出部分21と電気的に接続される。また前記シャフト5の長さ方向に垂直な平面において、前記第2弾力片7の投影と前記自由端62の投影とが互いに交わる。シャフト5がその移動方向に沿って移動すると、シャフト5は第1弾力片6の自由端62を押し出して、それを第2弾力片7に接触させる。このとき、前記第1弾力片6と、前記第2弾力片7と、前記回路基板2の電気接点とが回路を構成する。第2弾力片7の一端が電気接点に固定され、他端も第1弾力片6の自由端62に近いため、第1弾力片6の形状変化量を低減しつつ回路通電が可能となる。このように、第1弾力片6の寿命を延ばせるようになり、自由端62と第2弾力片7の接触をより簡略化できるようにもなる。上記の方法によれば、自由端62を第2弾力片7に接触させるだけで、前記第1弾力片6、前記第2弾力片7、及び前記回路基板2の電気接点を回路として構成でき、自由端62を電気接点と直接に接触させることなく、効率的に構成回路の効率を向上させることができる。そしてキーキャップ9を逆方向へ押すと、第一弾力片6は元の位置に戻って回路を切断する。また、一つの例示的実施例において、第2弾力片7はねじ部（例えば、ねじ）を介して別の露出銅部分21に固定されてもよい。本実施例では、第2弾力片7と別の銅露出部分21とが常に電気的に接続されることのみを確認するに留める。
【００２０】
一つの例示的実施例では、第2弾力片7は前記電気接点の一端から離れて第1弾力片6に向かう方向に延伸し、第1弾力片6に近づく。このようにすることで、第1弾力片6の形状変化量をさらに小さくしつつ第1弾力片6と第2弾力片7の接触を実現することができる。
【００２１】
図9は、本公開の実施例による固定片8の構造模式図である。図1、2、9に示すように、前記第1弾力片6と前記第2弾力片7の間に固定片8を設け、前記第2弾力片7における前記回路基板2から離れた端部に貼付け端71を設けている。前記貼付け端71と前記自由端62は前記固定片8の同じ側に位置し、前記貼付け端71は前記固定片8に貼り付けられる。前記シャフト5の長さ方向に垂直な平面上で、前記貼付け端71の投影と前記自由端62の投影とが互いに交わる。
【００２２】
また、シャフト5の長さ方向にはシャフト5、自由端62、貼付け端71、固定片8、電気接点が順に並べられている。固定片8は第1弾力片6と第2弾力片7の間に位置する。このほか、前記貼付け端71は前記固定片8に貼り付けられており、前記シャフト5の長さ方向に垂直な面において前記貼付け端71の投影と前記自由端62の投影とが互いに交わるため、第1弾力片6がシャフト5の押圧力で変形して自由端62を第2弾力片7に接触させると、自由端62は接触により第2弾力片7上の貼付け端71に押圧力を伝達することができる。貼付け端71は固定片8に貼り付けられており、かつ固定片8は第1弾力片6と第2弾力片7に位置するため、固定片8が貼付け端71を支えることで、第2弾力片7が第1弾力片6の押圧力で大きく変形することを防止し、第2弾力片7の使用寿命を延ばす。また、固定片8に貼り付けられた貼付け端71に自由端62が当接するときは、自由端62の動きが制限されるため、第1弾力片6の変形量を制限することにより、その寿命を延ばすことができる。
【００２３】
図3は本公開の実施例によるベース3の構造模式図である。図1〜3に示すように、当該消音キー部品は内壁に横板34が固定された筒状に設置されるベース3をさらに含み、前記横板34は前記シャフト5の長さ方向において前記ベース3を上空胴と下空胴とに分けている。即ち、ベース3の横断面は「H」の形を呈する。なお当該横板34はベース3の内壁に密封設置されるのが好ましい。さらに、前記横板34には防水部材が設けられた防水穴33が開設され、前記シャフト5が前記防水穴33内を前記横板34の厚さ方向に沿って往復移動するように、前記シャフト5が前記防水穴33を貫通し、前記ベース3の前記下空胴側の端部は前記固定片8と取り外し可能な接続に構成し、前記自由端62および前記貼付け端71はいずれも前記下空胴内に位置する。このような方法で当該消音キー部品をケースに実装すると、ベース3、横板34とベース3の内壁の間の密封設置及び防水部材を通じ、第1弾力片6及び第2弾力片7が湿気を帯びることを効果的に回避でき、第1弾力片6と第2弾力片7の寿命を延ばし、さらには当該消音キー部品の寿命を延ばすことができる。なお、ベース3は二色の射出成型品であってもよい。その場合は、まずPC+20%GF又はPA+40%GF材料でベース3の周囲のキャビティ及び内壁上の横板34を射出成型し、次に2回目の射出成型で横板34の防水穴33上の中間シリカゲル又はTPU隔壁層を成形する。即ち、防水部品は二回の成型により形成する。
【００２４】
一つの例示的実施例では、図１〜３、９に示すように、ベース３の底部の両側に２本の固定柱３１がそれぞれ設けられ、第１弾力片６および第２弾力片７に２つの実装穴６１がそれぞれ開設されており、ベース３の底部の一方の側の２本の固定柱３１は第１弾力片６の２つの実装穴６１に挿入され、ベース３の底部の他方の側の２本の固定柱３１は第２弾力片７の２つの実装穴６１に挿入される。このような方法を用いれば、第１弾力片６と第２弾力片７を固定することにより消音キー部品の出力信号の安定性を保証できる。
【００２５】
図６は本公開の実施例による第１弾力片６の模式図であり、図７は本公開の実施例による第１弾力片６の側面図である。図１、２、６、７に示すように、第１弾力片６は導体であり、第１弾力片６の両端に２つの実装穴６１が設けられている。第１弾力片６の一端は傾斜して延伸し自由端６２を形成しており、自由端６２と実装穴６１が所在する面の角度は１３５°である。第１弾力片６の他端は回路基板２と固定されて電気的に接続されている。
【００２６】
図８は本公開の実施例による第２弾力片７の構造模式図である。図１、２、８に示すように、第２弾力片７は導体であり、第２弾力片７の両端の間に２つの実装穴６１が設けられている。第２弾力片７の貼付け端７１は固定片８に当接し、第２弾力片７の他端は電気接点に固定されて電気的に接続されている。
【００２７】
一つの例示的実施例では、図１、２に示すように、ベース３の底部５３と固定片８は取り外し可能な方法で接続されており、固定片８の両端には固定柱３１に対応する固定穴８１が開設されており、固定穴８１は固定柱３１に嵌り、第１弾力片６と第２弾力片７は固定片８とベース３との間に位置している。また、固定片８の上下両側には実装溝８２が開設され、ベース３の底部にも実装溝８２の位置に対応した適合サイズの係止ブロック３６が設けられている。
【００２８】
前記防水部材は弾性材からなるが、本実施例においてはシリカゲル材としている。本実施例では防水部材の構成材料を限定せず、本公開の要件を満たすものであればよいとする。防水部材は防水穴33の縁部分に固定されるリング状の防水パッキンであってもよいが、当然ながら前記防水穴33を埋める防水層であってもよい。この場合、シャフト5が防水穴33を貫通すると、防水層はシャフト5とともに前記防水穴から伸出する。そして防水層が第1弾力片6の自由端62に接触すれば、押圧力を自由端62に伝達することができる。この防水層は防水機能を実現すると同時に絶縁作用をも果たし、第一弾力片6と回路基板2の電気的接続による漏電を避けることができる。
【００２９】
図5は本公開の実施例によるシャフト5の構造模式図である。図5に示すように、前記シャフト5は長さ方向に沿って頂部51、中部52、底部53を順に含むが、前記中部52の横断面積は防水穴33の面積より大きくなっており、前記シャフト5の底部53が防水穴33に挿入されている。図5において、頂部51、中部52、底部53はいずれも直方体である。本実施例ではシャフト5の外形及び材料を限定せず、本公開の要件を満たすものであればよいとする。ここでは前記中部52の横断面の面積が防水穴33の面積よりも大きいため、中部52は位置限定穴44を貫通することができない。このように、シャフト5の自由端62への移動を制限することにより自由端62の形状変化量を制限し、第1弾力片6の寿命を延ばすことが可能になる。
【００３０】
一つの例示的実施例においては、前記中部52と前記横板34の間の空間に弾性材料からなる第1緩衝材が充填されている。シャフト5が自由端62を押し出す時、第1緩衝材はシャフト5の中部52と横板34の衝突を効果的に緩衝することで、シャフト5の中部52と横板34の間に激しい衝突が生じてシャフト5および/または横板34が変形することを回避する。またそれにより生じる音を効果的に低減することもできるため、キー部品自身の消音効果を実現できる。なお、本実施例では第1緩衝材の材料及び構造を限定せず、本公開の要件を満たすものであればよいとする。第1緩衝材は例えばシリカゲル材料で構成され、ブロック状に設置されるものであり、多孔構造を有してもよい。
【００３１】
図4は本公開の実施例による固定フレーム4の構造模式図である。図1、2、4に示すように、前記上空胴側は前記ベース3の端部に取り外し可能な方法で固定フレーム4が実装され、前記固定フレーム4上に前記頂部51に適合する位置限定穴44が開設される。前記頂部51は前記位置限定穴44に挿入可能であり、前記頂部51が前記位置限定穴44内を前記横板34の厚さ方向に沿って往復移動するようにしている。なお、前記中部52の横断面積が前記位置限定穴44の面積より大きいため、中部52は位置限定穴44を通過することができない。このようにすることで、シャフト5が自由端62を背にして移動するのを制限することができる。中部52は位置限定穴44に入らないため、シャフト5が位置限定穴44に向かって移動するのを制限している。
【００３２】
図2、4に示すように、前記固定フレーム4は前記位置限定穴44を開設した底板41を含み、前記底板41の少なくとも3つの側辺は同一側に向かって側板43が延伸されており、前記側板43と前記ベース3の側壁に取り外し可能な接続に構成するように、各前記側板43のいずれにも固定部材を設けている。ベース3は軸断面が長方形を呈するように設けられるほか、4つの側壁が設けられる。各側壁の外側にはいずれも係止片32が固定されており、うち面積の大きい側壁には係止片32が二つ設けられる一方、面積の小さい側壁には係止片32は一つのみ設けられる。固定フレーム4の形状はベース3の形状に適合するものであり、ベース3を囲んでいる。前記固定フレーム4の側板43は係止片32に対応する位置に係止溝42が設けられており、係止溝42と係止片32は取り外し可能な方法で接続されている。なお、本実施例では固定フレーム4とベース3の接続方式を限定せず、本公開の要件を満たすものであればよいとする。
【００３３】
一つの例示的実施例においては、前記中部52と前記底板41の間の空間に弾性材料からなる第2緩衝材が充填されている。第2緩衝材はシャフト5の中部52と底板41の衝突を効果的に緩衝することで、シャフト5の中部52と底板41の間に激しい衝突が生じてシャフト5および/または底板41が変形することを回避する。またそれにより生じる音を効果的に低減することもできるため、キー部品自身の消音効果を実現できる。なお、本実施例では第2緩衝材の材料及び構造を限定せず、本公開の要件を満たすものであればよいとする。第2緩衝材は例えばシリカゲル材料で構成され、ブロック状に設置されるものであり、多孔構造を有してもよい。
【００３４】
一つの例示的実施例において、前記固定フレーム4は前記ベース3から離れた表面に防水リング45が固定されている。当該防水リング45はシリカゲル材料で構成されるのが好ましいが、本実施例ではシャフト5の材料を限定せず、本公開の要件を満たすものであればよいとする。この方法によれば、効果的に防水機能を実現することができる。
【００３５】
当該消音キー部品をキーボードに応用する際、図1〜10に示すように、前記キーボードはケース1と、少なくとも一つの上記の消音キー部品とを含む。防水リング45は効率的に防水機能を果たした上で、消音キー部品とキーボードの正常動作をより一層保証し、故障率を低減するものである。一つの例示的実施例においては、ベース3及びケース1のそれぞれの位置に互いに適合するねじ穴35が設けられており、ねじを介してベース3とケース1の取り外し可能な方法で接続させることができる。また、前記ケース1には前記消音キー部品に対応する幾つかの軸孔が開設されており、前記シャフト5における前記ベース3から離れた伸出端が前記軸孔から伸出し、前記伸出端に取り外し可能な方法でキーキャップ9が接続される。
【００３６】
なお説明しておくべき点として、本稿では“包括（含む）”、“包含（含む）”という用語やその他の任意の変形体は、非排他的な含有を意味する。一連の要素を含むプロセスや方法、物品、装置は、それらの要素だけでなく、明確に列挙されていない他の要素や、このようなプロセスや方法、物品、装置に固有の要素をも含む。ことさら制限がない限り、「一つの…を含む」という表現で限定した要素は、当該要素を含むプロセスや方法、物品、装置に他の同じ要素が存在することを排除するものではない。
【００３７】
また、上記本公開の実施例の番号は説明のために用いたにすぎず、実施例の優劣を表すものではない。
【００３８】
上記では図面を組み合わせて本公開の実施例を説明したが、本公開は上記の具体的な実施の形態に限定されるものではない。上記の具体的な実施の形態は例示的なものにすぎず、限定的なものではない。当業者は本公開の示唆のもと、本公開の趣旨及び請求項の請求する範囲から逸脱しない前提において多くの形態をなすことができ、これらはいずれも本公開の保護内にある。
【図１】
0006964177.tif 000002
【図２】
0006964177.tif 000003
【図３】
0006964177.tif 000004
【図４】
0006964177.tif 000005
【図５】
0006964177.tif 000006
【図６】
0006964177.tif 000007
【図７】
0006964177.tif 000008
【図８】
0006964177.tif 000009
【図９】
0006964177.tif 000010
【図１０】
0006964177.tif 000011